(57)【要約】  【課題】  農業従事者にとって最も重要な課題は、利用できる労働力を用い、所有する農地を最大限有効利用した収益性の向上である。  【解決手段】  農作物生産者２０の農地環境情報および農業技術情報１０１を入力する農作物生産者情報入力手段２３と、農作物生産者２０の農地の土壌の成分を分析し、土壌分析情報１００を入力する土壌情報入力手段２６と、作物の市場価格情報、作物の栽培情報、農作物生産者２０の農地が所在する地域の年間気象情報のうちの少なくともいずれかの情報を蓄積しており、農地環境情報、農業技術情報１０１、土壌分析情報１００、蓄積されている少なくともいずれかの情報とに基づいて、農作物生産者２０の農地に適した一または複数の作付け作物提案情報１０２を導出し、農作物生産者２０に提示する管理手段１４とを備えた。【選択図】  図１
2005080514.tif 000002
【特許請求の範囲】
【請求項１】
農作物生産者の農地環境情報および農業技術情報を入力する農作物生産者情報入力手段と、
前記農作物生産者の農地の土壌の成分を分析し、土壌分析情報を入力する土壌情報入力手段と、
作物の市場価格情報、作物の栽培情報、前記農作物生産者の農地が所在する地域の年間気象情報のうちの少なくともいずれかの情報を蓄積しており、前記農地環境情報、前記農業技術情報、前記土壌分析情報、蓄積されている前記少なくともいずれかの情報とに基づいて、前記農作物生産者の農地に適した一または複数の作付け作物提案情報を導出し、前記農作物生産者に提示する管理手段とを備えた肥料情報提供システム。
【請求項２】
さらに、一または複数の前記作付け作物提案情報から、前記農作物生産者が最適作付け作物情報を選択する最適作付け作物選択手段を備え、
前記管理手段は、前記農地環境情報、前記農業技術情報、前記土壌分析情報、蓄積されている前記少なくともいずれかの情報とに基づいて、前記農作物生産者の農地における選択された前記最適作付け作物情報に関する施肥計画および栽培計画を導出し、前記農作物生産者に提示する、請求項１に記載の肥料情報提供システム。
【請求項３】
農作物生産者の農地環境情報および農業技術情報を入力する農作物生産者情報入力手段と、
前記農作物生産者の農地の土壌の成分を分析し、土壌分析情報を入力する土壌情報入力手段と、
作物の市場価格情報、作物の栽培情報、前記農作物生産者の農地が所在する地域の年間気象情報のうちの少なくともいずれかの情報を蓄積しており、前記農地環境情報、前記農業技術情報、蓄積されている前記少なくともいずれかの情報とに基づいて、前記農作物生産者に適した一または複数の作付け作物提案情報を導出して前記農作物生産者に提示し、また、前記土壌分析情報に基づき、提示した一または複数の前記作付け作物提案情報から前記農作物生産者が選択した最適作付け作物情報に関する施肥計画および栽培計画を導出して前記農作物生産者に提示する管理手段と、
前記管理手段によって提示される一または複数の前記作付け作物提案情報から、前記農作物生産者が前記最適作付け作物情報を選択する最適作付け作物選択手段とを備えた肥料情報提供システム。
【請求項４】
さらに、堆肥提供者の堆肥原料情報および堆肥技術情報および希望取引情報を入力する堆肥提供者情報入力手段と、
前記堆肥提供者の堆肥の成分を分析し、堆肥分析情報を入力する堆肥情報入力手段と、
前記管理手段から提示される一または複数の堆肥提供に関する取引情報から、前記堆肥提供者が最適堆肥取引情報を選択する最適堆肥取引情報選択手段とを備え、
前記管理手段は、堆肥の市場価格情報を蓄積しており、前記堆肥の市場価格情報、前記堆肥原料情報、前記堆肥技術情報、前記堆肥分析情報に基づいて、一または複数の前記堆肥提供に関する取引情報を導出して前記堆肥提供者に提示し、また、堆肥成分に応じた堆肥取引統計情報を前記堆肥提供者に提示する、請求項２または３に記載の肥料情報提供システム。
【請求項５】
前記管理手段は、前記農作物生産者の施肥計画において必要とされる肥料が、前記堆肥分析情報によって前記堆肥提供者から提供される複数の堆肥を配合する必要があるかを判断し、前記複数の堆肥を配合する必要があると判断した場合には、前記複数の堆肥を配合するように、前記堆肥提供者と複数の堆肥を配合して肥料を製造する配合業者とに指示する、請求項４に記載の肥料情報提供システム。
【請求項６】
さらに、前記農作物生産者が、配送される日と場所を指定して肥料を注文する肥料注文手段を備え、
前記管理手段は、前記肥料の注文に応じて前記農作物生産者に前記肥料が配送されるように、前記堆肥提供者と、前記配合業者と、前記農作物生産者に肥料を配送する配送業者とに指示を出す、請求項５に記載の肥料情報提供システム。
【請求項７】
前記土壌情報入力手段は、
水分測定機構、ｐＨ測定機構、検体を水に分散させる機構、分散水溶液の成分を測定する機構、土壌成分測定結果を前記管理手段に送信する機構、前記土壌成分測定結果に従って前記管理手段から指示される次の分析制御内容を受信できる機構で構成され、
前記農作物生産者の提出する土壌の分析工程を前記管理手段からの指示により制御し、土壌の成分に関する情報を前記管理手段に送信する、請求項１乃至６のいずれかに記載の肥料情報提供システム。
【請求項８】
前記堆肥情報入力手段は、
水分測定機構、ｐＨ測定機構、検体を水に分散させる機構、分散水溶液の成分を測定する機構、堆肥成分測定結果を前記管理手段に送信する機構、前記堆肥成分測定結果に従って前記管理手段から指示される次の分析制御内容を受信できる機構で構成され、
前記堆肥提供者の提出する堆肥の分析工程を前記管理手段からの指示により制御し、堆肥の成分に関する情報を前記管理手段に送信する、請求項４乃至７のいずれかに記載の肥料情報提供システム。
【請求項９】
前記分散水溶液の成分を測定する機構は、Ｎ、Ｐ、Ｋ、Ｃａ、Ｍｇ、微量元素であるＭｎ、Ｆｅ、Ｚｎ、Ｂ、Ｃｕ、Ｓｉ、有害元素であるＮａ、Ｃｌの内の１つ以上の元素を測定できる、請求項７または８に記載の肥料情報提供システム。
【請求項１０】
前記管理手段は、前記土壌分析情報と前記堆肥分析情報に基づいて、前記農作物生産者が選択した前記最適作付け作物情報に関する作物育成に必要な成分量を算出し、前記必要な成分量を有する最適な堆肥の組み合わせを導出し、配送費用を含めた前記最適な組み合わせの堆肥の入手費用を算出する、請求項４乃至９のいずれかに記載の肥料情報提供システム。
【請求項１１】
前記農作物生産者が選択した前記最適作付け作物情報に関して必要となる前記最適な組み合わせの堆肥の入手費用が提示された後に、前記農作物生産者は、前記最適作付け作物選択手段によって、別の最適作付け作物情報を選択し直すことができる、請求項１０に記載の肥料情報提供システム。
【請求項１２】
さらに、前記農作物生産者が、必要な栽培管理用品を注文する栽培管理用品注文手段を備え、
前記管理手段は、前記最適作付け作物情報に関する前記施肥計画および前記栽培計画に基づき、適切な時期に必要な栽培管理用品の情報とその適切な使用方法を前記農作物生産者に提示し、前記農作物生産者からの注文に応じて、前記必要な栽培管理用品を配送するように、栽培管理用品を販売する栽培管理用品販売業者に指示する、請求項２乃至１１のいずれかに記載の肥料情報提供システム。
【請求項１３】
前記農地環境情報は、農地の広さまたは場所のロケーション情報、水利情報の内の少なくとも１つを含む、請求項１乃至１２のいずれかに記載の肥料情報提供システム。
【請求項１４】
前記農業技術情報は、農業従事する人の労働力、過去の作物栽培経験、農業栽培知識の程度、病虫害対策に関する知識の程度、所属農業協同組合または組合以外の販売経路の農業経営環境に関する情報の内の少なくとも１つを含む、請求項１乃至１３のいずれかに記載の肥料情報提供システム。
【請求項１５】
作物の市場価格情報、作物の栽培情報、農作物生産者の農地が所在する地域の年間気象情報のうちの少なくともいずれかの情報と、前記農作物生産者の農地環境情報、農業技術情報、農地の土壌分析情報とに基づいて、前記農作物生産者の農地に適した一または複数の作付け作物提案情報を導出し、前記農作物生産者に提示する肥料情報提供システムにおいて、
前記農作物生産者の農地の土壌の成分を分析し、前記土壌分析情報を入力する土壌情報入力手段。
【請求項１６】
作物の市場価格情報、作物の栽培情報、農作物生産者の農地が所在する地域の年間気象情報のうちの少なくともいずれかの情報と、前記農作物生産者の農地環境情報、農業技術情報とに基づいて、前記農作物生産者に適した一または複数の作付け作物提案情報を導出して前記農作物生産者に提示し、また、土壌分析情報に基づき、提示した一または複数の前記作付け作物提案情報から前記農作物生産者が選択した最適作付け作物情報に関する施肥計画および栽培計画を導出して前記農作物生産者に提示する肥料情報提供システムにおいて、
前記農作物生産者の農地の土壌の成分を分析し、前記土壌分析情報を入力する土壌情報入力手段。
【請求項１７】
前記管理手段はコンピュータであり、
前記管理手段以外の各手段は、前記コンピュータと通信回線で接続されている、請求項１乃至１４のいずれかに記載の肥料情報提供システム。
【請求項１８】
農作物生産者の農地環境情報および農業技術情報を入力するステップと、
前記農作物生産者の農地の土壌の成分を分析し、土壌分析情報を入力するステップと、
作物の市場価格情報、作物の栽培情報、前記農作物生産者の農地が所在する地域の年間気象情報のうちの少なくともいずれかの情報を蓄積するステップと、
前記農地環境情報、前記農業技術情報、前記土壌分析情報、蓄積した前記少なくともいずれかの情報とに基づいて、前記農作物生産者の農地に適した一または複数の作付け作物提案情報を導出し、前記農作物生産者に提示するステップと、
一または複数の前記作付け作物提案情報から、前記農作物生産者が最適作付け作物情報を選択するステップと、
前記農地環境情報、前記農業技術情報、前記土壌分析情報、蓄積した前記少なくともいずれかの情報とに基づいて、前記農作物生産者の農地における選択された前記最適作付け作物情報に関する施肥計画および栽培計画を導出し、前記農作物生産者に提示するステップとを備えた肥料情報提供方法。
【請求項１９】
農作物生産者の農地環境情報および農業技術情報を入力するステップと、
前記農作物生産者の農地の土壌の成分を分析し、土壌分析情報を入力するステップと、
作物の市場価格情報、作物の栽培情報、前記農作物生産者の農地が所在する地域の年間気象情報のうちの少なくともいずれかの情報を蓄積するステップと、
前記農地環境情報、前記農業技術情報、蓄積した前記少なくともいずれかの情報とに基づいて、前記農作物生産者に適した一または複数の作付け作物提案情報を導出し、前記農作物生産者に提示するステップと、
前記提示された一または複数の前記作付け作物提案情報から、前記農作物生産者が最適作付け作物情報を選択するステップと、
前記農作物生産者が選択した前記最適作付け作物情報に関する施肥計画および栽培計画を導出し、前記農作物生産者に提示するステップとを備えた肥料情報提供方法。
【請求項２０】
請求項２に記載の肥料情報提供システムの、
農作物生産者の農地環境情報および農業技術情報を入力する農作物生産者情報入力手段、
前記農作物生産者の農地の土壌の成分を分析し、土壌分析情報を入力する土壌情報入力手段、
作物の市場価格情報、作物の栽培情報、前記農作物生産者の農地が所在する地域の年間気象情報のうちの少なくともいずれかの情報を蓄積しており、前記農地環境情報、前記農業技術情報、前記土壌分析情報、蓄積されている前記少なくともいずれかの情報とに基づいて、前記農作物生産者の農地に適した一または複数の作付け作物提案情報を導出して前記農作物生産者に提示し、また、前記農作物生産者の農地における選択された最適作付け作物情報に関する施肥計画および栽培計画を導出して前記農作物生産者に提示する管理手段、
一または複数の前記作付け作物提案情報から、前記農作物生産者が前記最適作付け作物情報を選択する最適作付け作物選択手段としてコンピュータを機能させるためのプログラム。
【請求項２１】
請求項３に記載の肥料情報提供システムの、
農作物生産者の農地環境情報および農業技術情報を入力する農作物生産者情報入力手段、
前記農作物生産者の農地の土壌の成分を分析し、土壌分析情報を入力する土壌情報入力手段、
作物の市場価格情報、作物の栽培情報、前記農作物生産者の農地が所在する地域の年間気象情報のうちの少なくともいずれかの情報を蓄積しており、前記農地環境情報、前記農業技術情報、蓄積されている前記少なくともいずれかの情報とに基づいて、前記農作物生産者に適した一または複数の作付け作物提案情報を導出して前記農作物生産者に提示し、また、前記土壌分析情報に基づき、提示した一または複数の前記作付け作物提案情報から前記農作物生産者が選択した最適作付け作物情報に関する施肥計画および栽培計画を導出して前記農作物生産者に提示する管理手段、
前記管理手段によって提示される一または複数の前記作付け作物提案情報から、前記農作物生産者が前記最適作付け作物情報を選択する最適作付け作物選択手段としてコンピュータを機能させるためのプログラム。
【請求項２２】
請求項２０または２１に記載のプログラムを担持した記録媒体であって、コンピュータで利用可能な記録媒体。
【発明の詳細な説明】
【技術分野】
【０００１】
本発明は、個々の環境、要望、農業技術等に応じた栽培作物、施肥計画、栽培計画を生産農家および個人園芸愛好家に提示する、肥料情報提供システム、土壌情報入力手段および肥料情報提供方法に関する。例えば、コンピュータネットワークを用いて構築された、肥料情報提供システム、土壌情報入力手段および肥料情報提供方法である。
【背景技術】
【０００２】
生産農家において、その年一年間どの様な作物を栽培するかについては、農業経営上大きな課題であり、収入を左右する決断である。しかし、昨年までの栽培経験から、安全策を採り、同じ作物を栽培し続け、飛躍的な収入の伸びが無いのが現状である。
【０００３】
そこで、生産農家は、農作物を直接購入する消費者でかつ肥料を供給できる事業者、例えば食品加工業者、飲食店、給食センターなどと結びつき、生産性を上げると共に生ごみのリサイクルという消費者の抱える問題点の解決に貢献しようという動きにある。
【０００４】
このような動きについて、コンピュータネットワークを利用したリサイクルシステムとして、堆肥排出者情報と生産農家の堆肥要求情報をリアルタイムで調整する方法が提案されている（例えば、特許文献１参照）。
【０００５】
また、食品廃棄物リサイクルシステムとして、廃棄物中に含まれる肥料生産に関係する成分の測定についても言及した方法も提案されている（例えば、特許文献２参照）。
【特許文献１】特開２００１−３４４３１０号公報
【特許文献２】特開２００３−５５０７６号公報
【発明の開示】
【発明が解決しようとする課題】
【０００６】
しかしながら、生産農家が所有する農地に対して最も採算性の優れた作物を、経営的、技術的両面から推奨支援を行うシステムは無いのが現状である。
【０００７】
生産農家にとって最も重要な課題は、利用できる労働力を用い、所有する農地を最大限有効利用した収益性の向上である。
【０００８】
この課題に対応するため、農業経営に対する研鑽、栽培技術の向上について努力が図られてきている。例えば、地域単位で特産作物を設け、あるいは地産地消の働きかけを行い、地域ぐるみで商品性の上がる作物に取り組み、農業経営の改善を図る試みがなされている。
【０００９】
しかし、いずれの試みも集団としての取り組みであり、個々の農家によって生じる栽培環境や栽培技術の差については考慮されていない。従って、個々の農家に特化した個別的作物の提案が必要となる。
【００１０】
例えば奨励作物を栽培することは、所有する農地の事情において、同じ作物を栽培し続けることで肥料の偏った吸収から土地を痩せさせ、あるいは作物によっては連作障害をもたらす元ともなっている場合がある。
【００１１】
また、栽培技術などの不足する生産農家にとっては、個別の事情などから農業改良普及所などからのきめ細かい指導が得にくく、収益性の低下を招く可能性もある。
【００１２】
本発明は、上記従来の課題を考慮し、生産農家が所有する農地の状況を個別的に分析し、収益性の上がる作付け作物に関する推薦情報を提供し、生産農家に受け入れられる作柄を決定すると共に、その施肥計画、栽培計画を提供できる、肥料情報提供システム、土壌情報入力手段および肥料情報提供方法を提供することを目的とする。
【課題を解決するための手段】
【００１３】
上述した課題を解決するために、第１の本発明は、
農作物生産者の農地環境情報および農業技術情報を入力する農作物生産者情報入力手段と、
前記農作物生産者の農地の土壌の成分を分析し、土壌分析情報を入力する土壌情報入力手段と、
作物の市場価格情報、作物の栽培情報、前記農作物生産者の農地が所在する地域の年間気象情報のうちの少なくともいずれかの情報を蓄積しており、前記農地環境情報、前記農業技術情報、前記土壌分析情報、蓄積されている前記少なくともいずれかの情報とに基づいて、前記農作物生産者の農地に適した一または複数の作付け作物提案情報を導出し、前記農作物生産者に提示する管理手段とを備えた肥料情報提供システムである。
【００１４】
第２の本発明は、
さらに、一または複数の前記作付け作物提案情報から、前記農作物生産者が最適作付け作物情報を選択する最適作付け作物選択手段を備え、
前記管理手段は、前記農地環境情報、前記農業技術情報、前記土壌分析情報、蓄積されている前記少なくともいずれかの情報とに基づいて、前記農作物生産者の農地における選択された前記最適作付け作物情報に関する施肥計画および栽培計画を導出し、前記農作物生産者に提示する、第１の本発明の肥料情報提供システムである。
【００１５】
第３の本発明は、
農作物生産者の農地環境情報および農業技術情報を入力する農作物生産者情報入力手段と、
前記農作物生産者の農地の土壌の成分を分析し、土壌分析情報を入力する土壌情報入力手段と、
作物の市場価格情報、作物の栽培情報、前記農作物生産者の農地が所在する地域の年間気象情報のうちの少なくともいずれかの情報を蓄積しており、前記農地環境情報、前記農業技術情報、蓄積されている前記少なくともいずれかの情報とに基づいて、前記農作物生産者に適した一または複数の作付け作物提案情報を導出して前記農作物生産者に提示し、また、前記土壌分析情報に基づき、提示した一または複数の前記作付け作物提案情報から前記農作物生産者が選択した最適作付け作物情報に関する施肥計画および栽培計画を導出して前記農作物生産者に提示する管理手段と、
前記管理手段によって提示される一または複数の前記作付け作物提案情報から、前記農作物生産者が前記最適作付け作物情報を選択する最適作付け作物選択手段とを備えた肥料情報提供システムである。
【００１６】
第４の本発明は、
さらに、堆肥提供者の堆肥原料情報および堆肥技術情報および希望取引情報を入力する堆肥提供者情報入力手段と、
前記堆肥提供者の堆肥の成分を分析し、堆肥分析情報を入力する堆肥情報入力手段と、
前記管理手段から提示される一または複数の堆肥提供に関する取引情報から、前記堆肥提供者が最適堆肥取引情報を選択する最適堆肥取引情報選択手段とを備え、
前記管理手段は、堆肥の市場価格情報を蓄積しており、前記堆肥の市場価格情報、前記堆肥原料情報、前記堆肥技術情報、前記堆肥分析情報に基づいて、一または複数の前記堆肥提供に関する取引情報を導出して前記堆肥提供者に提示し、また、堆肥成分に応じた堆肥取引統計情報を前記堆肥提供者に提示する、第２または第３の本発明の肥料情報提供システムである。
【００１７】
第５の本発明は、
前記管理手段は、前記農作物生産者の施肥計画において必要とされる肥料が、前記堆肥分析情報によって前記堆肥提供者から提供される複数の堆肥を配合する必要があるかを判断し、前記複数の堆肥を配合する必要があると判断した場合には、前記複数の堆肥を配合するように、前記堆肥提供者と複数の堆肥を配合して肥料を製造する配合業者とに指示する、第４の本発明の肥料情報提供システムである。
【００１８】
第６の本発明は、
さらに、前記農作物生産者が、配送される日と場所を指定して肥料を注文する肥料注文手段を備え、
前記管理手段は、前記肥料の注文に応じて前記農作物生産者に前記肥料が配送されるように、前記堆肥提供者と、前記配合業者と、前記農作物生産者に肥料を配送する配送業者とに指示を出す、第５の本発明の肥料情報提供システムである。
【００１９】
第７の本発明は、
前記土壌情報入力手段は、
水分測定機構、ｐＨ測定機構、検体を水に分散させる機構、分散水溶液の成分を測定する機構、土壌成分測定結果を前記管理手段に送信する機構、前記土壌成分測定結果に従って前記管理手段から指示される次の分析制御内容を受信できる機構で構成され、
前記農作物生産者の提出する土壌の分析工程を前記管理手段からの指示により制御し、土壌の成分に関する情報を前記管理手段に送信する、第１乃至第６のいずれかの本発明の肥料情報提供システムである。
【００２０】
第８の本発明は、
前記堆肥情報入力手段は、
水分測定機構、ｐＨ測定機構、検体を水に分散させる機構、分散水溶液の成分を測定する機構、堆肥成分測定結果を前記管理手段に送信する機構、前記堆肥成分測定結果に従って前記管理手段から指示される次の分析制御内容を受信できる機構で構成され、
前記堆肥提供者の提出する堆肥の分析工程を前記管理手段からの指示により制御し、堆肥の成分に関する情報を前記管理手段に送信する、第４乃至第７のいずれかの本発明の肥料情報提供システムである。
【００２１】
第９の本発明は、
前記分散水溶液の成分を測定する機構は、Ｎ、Ｐ、Ｋ、Ｃａ、Ｍｇ、微量元素であるＭｎ、Ｆｅ、Ｚｎ、Ｂ、Ｃｕ、Ｓｉ、有害元素であるＮａ、Ｃｌの内の１つ以上の元素を測定できる、第７または第８の本発明の肥料情報提供システムである。
【００２２】
第１０の本発明は、
前記管理手段は、前記土壌分析情報と前記堆肥分析情報に基づいて、前記農作物生産者が選択した前記最適作付け作物情報に関する作物育成に必要な成分量を算出し、前記必要な成分量を有する最適な堆肥の組み合わせを導出し、配送費用を含めた前記最適な組み合わせの堆肥の入手費用を算出する、第４乃至第９のいずれかの本発明の肥料情報提供システムである。
【００２３】
第１１の本発明は、
前記農作物生産者が選択した前記最適作付け作物情報に関して必要となる前記最適な組み合わせの堆肥の入手費用が提示された後に、前記農作物生産者は、前記最適作付け作物選択手段によって、別の最適作付け作物情報を選択し直すことができる、第１０の本発明の肥料情報提供システムである。
【００２４】
第１２の本発明は、
さらに、前記農作物生産者が、必要な栽培管理用品を注文する栽培管理用品注文手段を備え、
前記管理手段は、前記最適作付け作物情報に関する前記施肥計画および前記栽培計画に基づき、適切な時期に必要な栽培管理用品の情報とその適切な使用方法を前記農作物生産者に提示し、前記農作物生産者からの注文に応じて、前記必要な栽培管理用品を配送するように、栽培管理用品を販売する栽培管理用品販売業者に指示する、第２乃至第１１のいずれかの本発明の肥料情報提供システムである。
【００２５】
第１３の本発明は、
前記農地環境情報は、農地の広さまたは場所のロケーション情報、水利情報の内の少なくとも１つを含む、第１乃至第１２のいずれかの本発明の肥料情報提供システムである。
【００２６】
第１４の本発明は、
前記農業技術情報は、農業従事する人の労働力、過去の作物栽培経験、農業栽培知識の程度、病虫害対策に関する知識の程度、所属農業協同組合または組合以外の販売経路の農業経営環境に関する情報の内の少なくとも１つを含む、第１乃至第１３のいずれかの本発明の肥料情報提供システムである。
【００２７】
第１５の本発明は、
作物の市場価格情報、作物の栽培情報、農作物生産者の農地が所在する地域の年間気象情報のうちの少なくともいずれかの情報と、前記農作物生産者の農地環境情報、農業技術情報、農地の土壌分析情報とに基づいて、前記農作物生産者の農地に適した一または複数の作付け作物提案情報を導出し、前記農作物生産者に提示する肥料情報提供システムにおいて、
前記農作物生産者の農地の土壌の成分を分析し、前記土壌分析情報を入力する土壌情報入力手段である。
【００２８】
第１６の本発明は、
作物の市場価格情報、作物の栽培情報、農作物生産者の農地が所在する地域の年間気象情報のうちの少なくともいずれかの情報と、前記農作物生産者の農地環境情報、農業技術情報とに基づいて、前記農作物生産者に適した一または複数の作付け作物提案情報を導出して前記農作物生産者に提示し、また、土壌分析情報に基づき、提示した一または複数の前記作付け作物提案情報から前記農作物生産者が選択した最適作付け作物情報に関する施肥計画および栽培計画を導出して前記農作物生産者に提示する肥料情報提供システムにおいて、
前記農作物生産者の農地の土壌の成分を分析し、前記土壌分析情報を入力する土壌情報入力手段である。
【００２９】
第１７の本発明は、
前記管理手段はコンピュータであり、
前記管理手段以外の各手段は、前記コンピュータと通信回線で接続されている、第１乃至第１４のいずれかの本発明の肥料情報提供システムである。
【００３０】
第１８の本発明は、
農作物生産者の農地環境情報および農業技術情報を入力するステップと、
前記農作物生産者の農地の土壌の成分を分析し、土壌分析情報を入力するステップと、
作物の市場価格情報、作物の栽培情報、前記農作物生産者の農地が所在する地域の年間気象情報のうちの少なくともいずれかの情報を蓄積するステップと、
前記農地環境情報、前記農業技術情報、前記土壌分析情報、蓄積した前記少なくともいずれかの情報とに基づいて、前記農作物生産者の農地に適した一または複数の作付け作物提案情報を導出し、前記農作物生産者に提示するステップと、
一または複数の前記作付け作物提案情報から、前記農作物生産者が最適作付け作物情報を選択するステップと、
前記農地環境情報、前記農業技術情報、前記土壌分析情報、蓄積した前記少なくともいずれかの情報とに基づいて、前記農作物生産者の農地における選択された前記最適作付け作物情報に関する施肥計画および栽培計画を導出し、前記農作物生産者に提示するステップとを備えた肥料情報提供方法である。
【００３１】
第１９の本発明は、
農作物生産者の農地環境情報および農業技術情報を入力するステップと、
前記農作物生産者の農地の土壌の成分を分析し、土壌分析情報を入力するステップと、
作物の市場価格情報、作物の栽培情報、前記農作物生産者の農地が所在する地域の年間気象情報のうちの少なくともいずれかの情報を蓄積するステップと、
前記農地環境情報、前記農業技術情報、蓄積した前記少なくともいずれかの情報とに基づいて、前記農作物生産者に適した一または複数の作付け作物提案情報を導出し、前記農作物生産者に提示するステップと、
前記提示された一または複数の前記作付け作物提案情報から、前記農作物生産者が最適作付け作物情報を選択するステップと、
前記農作物生産者が選択した前記最適作付け作物情報に関する施肥計画および栽培計画を導出し、前記農作物生産者に提示するステップとを備えた肥料情報提供方法である。
【００３２】
第２０の本発明は、
第２の本発明の肥料情報提供システムの、
農作物生産者の農地環境情報および農業技術情報を入力する農作物生産者情報入力手段、
前記農作物生産者の農地の土壌の成分を分析し、土壌分析情報を入力する土壌情報入力手段、
作物の市場価格情報、作物の栽培情報、前記農作物生産者の農地が所在する地域の年間気象情報のうちの少なくともいずれかの情報を蓄積しており、前記農地環境情報、前記農業技術情報、前記土壌分析情報、蓄積されている前記少なくともいずれかの情報とに基づいて、前記農作物生産者の農地に適した一または複数の作付け作物提案情報を導出して前記農作物生産者に提示し、また、前記農作物生産者の農地における選択された最適作付け作物情報に関する施肥計画および栽培計画を導出して前記農作物生産者に提示する管理手段、
一または複数の前記作付け作物提案情報から、前記農作物生産者が前記最適作付け作物情報を選択する最適作付け作物選択手段としてコンピュータを機能させるためのプログラムである。
【００３３】
第２１の本発明は、
第３の本発明の肥料情報提供システムの、
農作物生産者の農地環境情報および農業技術情報を入力する農作物生産者情報入力手段、
前記農作物生産者の農地の土壌の成分を分析し、土壌分析情報を入力する土壌情報入力手段、
作物の市場価格情報、作物の栽培情報、前記農作物生産者の農地が所在する地域の年間気象情報のうちの少なくともいずれかの情報を蓄積しており、前記農地環境情報、前記農業技術情報、蓄積されている前記少なくともいずれかの情報とに基づいて、前記農作物生産者に適した一または複数の作付け作物提案情報を導出して前記農作物生産者に提示し、また、前記土壌分析情報に基づき、提示した一または複数の前記作付け作物提案情報から前記農作物生産者が選択した最適作付け作物情報に関する施肥計画および栽培計画を導出して前記農作物生産者に提示する管理手段、
前記管理手段によって提示される一または複数の前記作付け作物提案情報から、前記農作物生産者が前記最適作付け作物情報を選択する最適作付け作物選択手段としてコンピュータを機能させるためのプログラムである。
【００３４】
第２２の本発明は、
第２０または第２１の本発明のプログラムを担持した記録媒体であって、コンピュータで利用可能な記録媒体である。
【発明の効果】
【００３５】
本発明により、生産農家が所有する農地の状況を個別的に分析し、収益性の上がる作付け作物に関する推薦情報を提供し、生産農家に受け入れられる作柄を決定すると共に、その施肥計画、栽培計画を提供できる、肥料情報提供システム、土壌情報入力手段および肥料情報提供方法を提供することができる。
【発明を実施するための最良の形態】
【００３６】
以下に、本発明の実施の形態について図面に基づいて詳細に説明する。
【００３７】
（実施の形態１）
図１は、本発明の実施の形態１の肥料情報提供システムのブロック図である。
【００３８】
生産農家２０、堆肥提供者３０、配合業者４０、運送業者５０の有するコンピュータが、いずれも調整管理者１０の有する管理コンピュータ１１と、インターネットを利用したコンピュータネットワークで結ばれて、本実施の形態１の肥料情報提供システムを構成している。なお、生産農家２０は、本発明の農作物生産者の一例である。
【００３９】
生産農家２０の有するパソコン２１は、生産農家情報入力手段２３、希望作柄選択手段２４、生産農家表示手段２５、肥料注文手段２７を備えている。また、生産農家２０の所有する農地の土壌の成分を分析する簡易分析装置２２は、土壌情報入力手段２６を備えている。なお、生産農家情報入力手段２３は、本発明の農作物生産者情報入力手段の一例である。
【００４０】
堆肥提供者３０の有するパソコン３１は、堆肥提供者情報入力手段３３、取引情報選択手段３４、堆肥提供者表示手段３５を備えている。また、堆肥提供者３０の提供する堆肥の成分を分析する簡易分析装置３２は、堆肥情報入力手段３６を備えている。
【００４１】
調整管理者１０の有する管理コンピュータ１１は、作柄検索部１２、土壌成分解析部１３、栽培計画管理部１４、堆肥成分解析部１５、堆肥取引管理部１６、肥料供給管理部１７、データ蓄積部１８を備えている。
【００４２】
図１に示す細線の矢印は、インターネットによるデータの流れを示しており、太線の矢印は、堆肥や肥料の物の流れを示している。
【００４３】
次に、図１および図２を用いて、本実施の形態１の肥料情報提供システムの動作について説明する。
【００４４】
図１で、調整管理者１０の有する管理コンピュータ１１は、生産農家２０の有するパソコン２１とネットワークで接続されている。生産農家表示手段２５によって、生産農家２０の所有する農地の環境情報および農業技術情報１０１を収集するための質問内容がパソコン２１画面上に表示される。そして、生産農家２０に、キーボードあるいはマウスなどの入力装置を用いてその質問内容に回答させることにより、生産農家２０の所有する農地の環境情報および農業技術情報１０１を収集する。そして、生産農家情報入力手段２３は、これらの収集された環境情報および農業技術情報１０１のデータを、インターネットを通じて管理コンピュータ１１に送信する。
【００４５】
図２は、生産農家２０に推薦作柄および施肥計画を提示する処理の流れを示した図である。
【００４６】
管理コンピュータ１１の作柄検索部１２は、生産農家情報入力手段２３から受信した環境情報および農業技術情報１０１のデータと、蓄積情報８３のデータから生産農家２０に応じた１つ以上の推薦作柄を選出する。なお、本発明における作柄とは、作物の種類（米、こしひかり、みかん等）および栽培方法（早場米、収穫時期、温室栽培等）を示すものである。ここで、作柄検索部１２および推薦作柄は、それぞれ、本発明の管理手段および作付け作物提案情報の一例である。
【００４７】
データ蓄積部１８には、蓄積情報８３として、年次更新された生産農家２０の地域の年間気象情報、各種作物の市場価格情報、各種作物の栽培情報が蓄積されている。地域の年間気象情報は、その地域での過去の気象情報として、平均気温、最高気温、最低気温、降雨量、日射量などがある。各種作物の市場価格情報として、全国各地の農作物取引市場での作物市場取引価格、取引量について近年５年分の情報が蓄積されている。各種作物の栽培情報としては、各作物に対し、現在流通している品種、作柄の情報、各品種に対する栽培の技術情報が収録されている。蓄積情報８３には、各々の生産農家２０毎のこれらの情報が、生産農家２０毎に蓄積されている。
【００４８】
作柄検索部１２は、これらの蓄積情報８３として蓄積されている情報と、生産農家情報入力手段２３から受信した農地の環境情報および農業技術情報１０１の要素を掛け合わせ（Ｓ１０）、総合的に判断した生産農家２０に応じた１つ以上の推薦作柄を選出し、推薦作柄結果１０２として生産農家２０の有するパソコン２１に送信する（Ｓ１１）。そして、１つ以上の推薦作柄結果表示８２が生産農家表示手段２５によってパソコン２１の画面上に表示され、生産農家２０に提示される。推薦作柄結果１０２には、農作物の種類や品種、栽培方法等が異なる複数の作柄が含まれ、生産農家２０には、複数の作柄が提示されることになる。
【００４９】
生産農家情報入力手段２３から受信する農地の環境情報とは、農地の広さ・場所などのロケーション情報、水利情報などである。また、農業技術情報とは、農業従事する人数・年齢などの労働力、過去の作物栽培経験、農業栽培知識の程度、病虫害対策に関する知識の程度、所属農業協同組合・組合以外の販売経路等の農業経営環境に関する情報である。
【００５０】
生産農家２０への推薦作柄結果１０２の表示から、生産農家２０が希望作柄を選択する。希望作柄選択手段２４によって生産農家２０が選択した希望作柄が、希望作柄選択情報１０３として管理コンピュータ１１に送信される。そして、作柄検索部１２は、希望作柄選択情報１０３に基づいて最適作柄を決定する。なお、希望作柄選択手段２４は、本発明の最適作付け作物選択手段の一例である。また、生産農家２０が選択した希望作柄は、本発明の最適作付け作物情報の一例である。
【００５１】
次に、生産農家２０は、所有する農地の一箇所以上の土壌８０を、調整管理者あるいは最寄りの分析端末に持参あるいは郵送する。そこには簡易分析装置２２が準備されている。簡易分析装置２２は、土壌８０内に含まれる栽培に必要な成分を分析し、土壌情報入力手段２６によって、土壌分析情報１００が自動的に管理コンピュータ１１に送信される。
【００５２】
簡易分析装置２２は、水分測定機構、ｐＨ測定機構、持ち込まれた土壌検体を水に分散させる機構、分散水溶液の成分を測定する機構、測定結果を管理コンピュータ１１に送信する機構、管理コンピュータ１１から次の分析工程制御を受信する機構からなる。
【００５３】
管理コンピュータ１１の土壌成分解析部１３は、土壌分析情報１００を受信し、土壌分析情報１００の内容に応じた簡易分析装置２２における次の分析工程内容を決定し、土壌分析制御情報１０７を簡易分析装置２２に送信する。そして、簡易分析装置２２は、土壌分析制御情報１０７に従って、次の分析工程を行う。
【００５４】
簡易分析装置２２は、生産農家２０によって持ち込まれた土壌８０を、一定水量の水に分散した後、その分散液に試薬を入れ、その発色濃度により土壌成分を分析する。そして、土壌情報入力手段２６は、その分析結果を土壌分析情報１００として管理コンピュータ１１に送信する。管理コンピュータ１１の土壌成分解析部１３は、受信した土壌分析情報１００から、簡易分析装置２２における途中の工程が無事に進んでいるか、明らかにエラーとなるような値が出ていないかなどを診断する。そして、土壌成分解析部１３は、その診断内容に応じて、分析工程のどこをやり直しすればよいか等の土壌分析制御情報１０７を簡易分析装置２２に送信する。例えば、水に分散したつもりでも、石（砂）が多く、分散された土壌になっていないなどの情報は、分析途中の分散液の透明性などで判断できる。なお、本実施の形態１の肥料情報提供システムでは、簡易分析装置２２における次の分析工程内容の決定を管理コンピュータ１１の土壌成分解析部１３で行うこととしたが、簡易分析装置２２にその機能を持たせてもよい。
【００５５】
このように、簡易分析装置２２は、生産農家２０が持ち込む土壌８０の分析工程を管理コンピュータ１１からの通信により制御し、土壌成分に関する情報を管理コンピュータ１１に情報送信するものである。
【００５６】
簡易分析装置２２から送信される土壌分析情報１００は、Ｎ、Ｐ、Ｋ、Ｃａ、Ｍｇ、微量元素（Ｍｎ、Ｆｅ、Ｚｎ、Ｂ、Ｃｕ、Ｓｉ）、有害元素（Ｎａ、Ｃｌ）、土壌水分量、土壌ｐＨ値である。そして、管理コンピュータ１１の土壌成分解析部１３が、この土壌分析情報１００を基に、作物育成に必要な成分量を演算し、最適堆肥組み合わせを配送費用を含め演算する。
【００５７】
土壌成分解析部１３における、土壌への追加が必要な肥料成分の保持量の算出方法について、図２を用いて説明する。
【００５８】
土壌成分解析部１３は、決定した最適作柄と簡易分析装置２２から受信した土壌分析情報１００とから、生産農家２０が所有する農地に追加が必要な成分量を算出する。
【００５９】
まず、土壌分析情報１００の解析を行い（Ｓ１２）、最適作柄に応じて、生産農家２０が所有する農地に追加が必要な、Ｐ、Ｋ、Ｃａ、Ｍｇ、微量元素の成分を決定する（Ｓ１３）。
【００６０】
次に、Ｓ１３で決定した必要成分を添加した後のｐＨ値を調整する。適切なｐＨ値は作物の種類によって異なるが、ここでは例として、適切なｐＨ値が６．５以上７以下である作物とする。Ｓ１３で決定した必要成分を添加した後のｐＨ値が６．５未満であれば、ｐＨ値が上がるようにＮＯ3-を添加する（Ｓ１５）。ｐＨ値が７より大きければ、ｐＨ値が下がるようにＮＨ4+を添加する（Ｓ１６）。ｐＨ値が６．５以上７以下となった時点（Ｓ１４）の、添加したＰ、Ｋ、Ｃａ、Ｍｇ、微量元素、ＮＯ3-、ＮＨ4+が最終的に追加が必要な成分量となる。
【００６１】
管理コンピュータ１１の栽培計画管理部１４は、土壌成分解析部１３で求められた必要成分の決定８４の内容と、その土地の年間気温、降雨量などの気象データとに基づき、決定された最適作柄における播種あるいは苗床作りの開始時期、収穫時期までの一連の作物毎の情報などから、生産農家２０に応じた栽培計画を策定する。そして、策定された栽培計画から、播種時およびそれ以降の追肥時期での必要肥料成分を算出し、施肥計画を策定する。栽培計画管理部１４は、策定された施肥計画・栽培計画１０４の情報を、生産農家２０の有するパソコン２１に送信する。施肥計画・栽培計画１０４の情報は、生産農家表示手段２５によってパソコン２１の画面上に表示される。これは、図２において、生産農家施肥計画８５が生産農家２０に提示されることを示している。
【００６２】
次に、図１および図３を用いて、本実施の形態１の肥料情報提供システムの堆肥提供者３０側における動作について説明する。
【００６３】
図１で、調整管理者１０の有する管理コンピュータ１１は、堆肥提供者３０の有するパソコン３１とネットワークで接続されている。堆肥提供者３０は、キーボードあるいはマウスなどの入力装置を用いて、堆肥提供者３０の堆肥原料情報および技術情報を入力する。そして、堆肥提供者情報入力手段３３は、これらの入力された原料情報および技術情報１１１のデータを、インターネットを通じて管理コンピュータ１１に送信する。
【００６４】
図３は、本実施の形態１の肥料情報提供システムにおいて、必要となる肥料を生成するための堆肥配合処方を決定し、流通させる処理の流れを示した図である。
【００６５】
管理コンピュータ１１のデータ蓄積部１８は、堆肥提供者情報入力手段３３から受信した原料情報および技術情報１１１のデータと蓄積情報９２のデータに応じて（Ｓ２０）、堆肥データを蓄積する（Ｓ２１）。
【００６６】
堆肥提供者情報入力手段３３から受信する堆肥の原料情報とは、食物、下水処理の汚泥、鶏糞等の、原料が何から作られているかの情報である。また、堆肥の技術情報とは、寝かせた時間、保存温度、保存湿度、一種類か混合か等の、どのような技術で作られたかの情報である。これらの堆肥の技術情報によって、堆肥の品質は大きく変わってくる。
【００６７】
蓄積情報９２には、市場での各種堆肥の市場価格が蓄積されていると共に、図２の必要成分の決定８４から導出された堆肥要求情報８６が格納されている。例えば、堆肥要求情報８６で必要とされる堆肥の量と、堆肥提供者３０が提供する堆肥の量との関係で堆肥の価格が変動する。また、時期によっても、必要とされる堆肥の量と種類が変わってくるため、堆肥の価格が変動する。このような堆肥の価格情報なども含めて、堆肥データとして蓄積される（Ｓ２１）。
【００６８】
次に、堆肥提供者３０は、簡易分析装置３２によって、提供する堆肥９０の分析を行わせる。簡易分析装置３２は、堆肥９０内に含まれる栽培に必要な成分を分析し、堆肥情報入力手段３６によって、堆肥分析情報１１０が自動的に管理コンピュータ１１に送信される。ここで、簡易分析装置３２は、生産農家２０の土壌８０を分析する簡易分析装置２２と同一の装置であってもよい。
【００６９】
管理コンピュータ１１の堆肥成分解析部１５は、蓄積された堆肥データと堆肥分析情報１１０に基づいて、生産農家２０が必要とする追加肥料に最適な堆肥の組み合わせを導出する。
【００７０】
堆肥成分解析部１５における、最適な堆肥の組み合わせの導出方法について、図３を用いて説明する。
【００７１】
堆肥成分解析部１５は、まず、堆肥分析情報１１０の解析を行い（Ｓ２２）、堆肥要求情報８６に応じて、生産農家２０の追加肥料に必要な、Ｐ、Ｋ、Ｃａ、Ｍｇ、微量元素の成分から調整元の混合堆肥を決定する（Ｓ２３）。調整元の混合堆肥とは、１種類の堆肥、または２種類以上の堆肥が混合された堆肥であり、この調整元の混合堆肥のｐＨ値を調整して生産農家２０が必要とする追加肥料を生成する。
【００７２】
例えば、栽培開始時に生産農家２０で必要とする肥料を生成する場合、堆肥成分解析部１５は次のようにして堆肥配合処方を決定する。
【００７３】
まず、土壌成分解析部１３は、栽培計画１０４において、栽培開始時に必要な肥料成分量（Ａ）を最適作柄から求める。そして、土壌分析情報１００によって得られる生産農家２０の農地の土壌８０に含まれる肥料成分の保持量（Ｂ）の測定結果と照らし合わせ、（Ａ）−（Ｂ）より播種時に追加するべき肥料成分のそれぞれの量を土壌成分解析部１３で求める。肥料成分として、Ｎ、Ｐ、Ｋ、Ｃａ、Ｍｇ等の主要元素とＭｎ、Ｆｅ、Ｚｎ、Ｂ、Ｃｕ、Ｓｉの微量元素を測定する。
【００７４】
そして、堆肥分析情報１１０によって各堆肥に含まれる肥料成分量が得られる。堆肥成分解析部１５は、この肥料成分を有する各種の堆肥の中から、上記（Ａ）−（Ｂ）に最も近い組み合わせを選ぶ。もし、符合する組み合わせがない場合は、成分の中からＰおよびＫについて符合する組み合わせの堆肥を適合重量ずつ組み合わせ、調整元の混合堆肥とする（Ｓ２３）。
【００７５】
次に、Ｓ２３で決定した調整元の混合堆肥のｐＨ値を推定あるいは実測し、そのｐＨ値を調整する。適切なｐＨ値は作物の種類によって異なるが、ここでは例として、適切なｐＨ値が６．５以上７以下である作物とする。Ｓ１３で決定した必要成分を添加した後のｐＨ値が６．５未満であれば、不足するＮ（窒素）成分についてｐＨ値が上がるようにＮＯ3-（硝酸態窒素）を含む堆肥を混合する（Ｓ２５）。ｐＨ値が７より大きければ、不足するＮ（窒素）成分についてｐＨ値が下がるようにＮＨ4+（アンモニア態窒素）を含む堆肥を混合する（Ｓ２６）。ｐＨ値が６．５以上７以下となった時点（Ｓ２４）の、混合された堆肥が最適な堆肥の組み合わせとなる。このようにして、必要なＮ（窒素）成分を追加する。なお、堆肥データ中の有害元素（Ｎａ、Ｃｌ）、土壌水分量、土壌ｐＨ値については、栽培計画の中の恕限度内にあることを確認する必要があることはいうまでもない。
【００７６】
以上のようにして、堆肥配合処方を決定する。そして、堆肥配合処方の決定９３の内容は、生産農家２０に提示する施肥計画１０４にも反映される。
【００７７】
ここで、堆肥配合処方について、具体例によって説明する。
【００７８】
表１に最適作柄の例を示す。生産農家２０には、推薦作柄結果表示８２として、作物種、品種、栽培方法等が異なる複数の作柄が提示されるが、それらの作柄毎に表１に示すような項目の情報が含まれている。ここでは、決定した最適作柄が表１の作柄であるものとした場合の堆肥配合処方について説明する。
【００７９】
【表１】
2005080514.tif 000003
生産農家２０の農地の土壌条件、生産農家２０が選択した希望作柄から、決定した最適作柄として表１のような栽培計画と施肥計画が提示された。
【００８０】
ここで、栽培開始時に必要な基肥として、過去の作柄の経験蓄積情報から、Ｎ：Ｐ：Ｋ＝１８：１５：１３の成分が必要となる。なお、この数字は、肥料として含まれる成分（窒素、リン酸＜Ｐ２Ｏ５で計算＞、カリ＜Ｋ２Ｏで計算＞）の重量％を記載したものである。
【００８１】
この基肥として必要な成分を持つ肥料を生成するための堆肥の混合条件を堆肥成分解析部１５で計算する。その計算方法の例を以下に示す。
【００８２】
ここで、混合する堆肥として、表２に示す堆肥を利用できる。
【００８３】
【表２】
2005080514.tif 000004
表２で、堆肥提供者３０から提供される堆肥として、ボカシ肥、脱水汚泥、乾燥汚泥、コンポスト平均、コンポストＭａｘ、コンポストＭｉｎが選択できる。また、それ以外の入手可能な肥料情報として、市販流通されているダイズ油粕、硫酸カリの肥料情報が蓄積されている。それぞれの成分比率は、表２に示す通りである。
【００８４】
まず、Ｎ、Ｐ、Ｋ成分の内、Ｐ、Ｋ成分について配合比率の計算を行い（図３のＳ２３）、その後にｐＨ値の調整を行う（図３のＳ２４〜Ｓ２６）。
【００８５】
表３に、配合比率の計算結果を示す。
【００８６】
【表３】
2005080514.tif 000005
表３に示すように、Ｐ、Ｋ成分の配合比率の計算により、ボカシ肥を０．５重量部、乾燥汚泥を０．２重量部、ダイズ油粕を２．６重量部、硫酸カリを０．１重量部配合するという結果が得られる。この時のｐＨはおよそ７．１と計算される。
【００８７】
次にｐＨ値の調整を行う。表１に示す作柄の場合、適切なｐＨ値として、
弱酸性−中性（５．５−７．０）を目標とする。上記でＰ、Ｋ成分の配合比率を算出した時点でｐＨ値がアルカリ性なので、硝酸態窒素を有するコンポストＭｉｎを選択し、その配合量を計算する。最終的に、コンポストＭｉｎを１．５重量部配合することで、基肥としての条件を満たす配合比率を得る。
【００８８】
同様にして、追肥に対する各堆肥の配合比率も算出する。また、異なる作柄の場合にも、同様にして最適な肥料を生成するための堆肥の配合比率を算出することができる。
【００８９】
次に、図１および図３を用いて、本実施の形態１の肥料情報提供システムにおける、肥料配送処理の動作について説明する。
【００９０】
管理コンピュータ１１の堆肥取引管理部１６から堆肥取引提案情報１１２が堆肥提供者３０のパソコン３１に送信される。堆肥取引提案情報１１２とは、例えば堆肥の種類別の時期的な要求量や、市場における価格情報などである。その堆肥取引提案情報１１２を基に、堆肥提供者３０は、提供する堆肥の種類や希望価格を選択して堆肥提供者情報入力手段３３によって入力する。入力されたこれらの情報は、取引情報選択手段３４によって、堆肥取引選択情報１１３として管理コンピュータ１１に送信される。なお、堆肥取引選択情報１１３は、本発明の希望取引情報の一例である。また、取引情報選択手段３４は、本発明の最適堆肥取引情報選択手段の一例である。
【００９１】
従来、堆肥の供給価格は、各々の堆肥供給者３０の希望によって決定していた。本実施の形態の肥料情報提供システムによって市場の堆肥の価格情報を知ることにより、堆肥供給者３０は、自己の供給する堆肥の価格を市場に合った価格につけ直す。このようにして、市場の堆肥の価格が適正価格となり、生産堆肥の提供条件の適正化が図られる。
【００９２】
そして、堆肥取引管理部１６は、各堆肥提供者３０から得られた堆肥取引選択情報１１３に基づいて肥料価格情報１０５を算出し、生産農家２０のパソコン２１に送信する。そして、図３に示す生産農家肥料情報９４としてパソコン２１の画面上に表示され、生産農家２０に提示される。ここで生産農家２０に提示される生産農家肥料情報９４とは、例えば、堆肥あるいはその配合物としての各時期における肥料の価格情報や供給量の情報などである。肥料の価格は、肥料の要求量と堆肥の供給量の関係等で、時期によって変動する。生産農家２０は、例えば、栽培開始前に追加肥料が必要となる夏の肥料の価格を知ることが可能となる。
【００９３】
生産農家２０は、提示された肥料価格情報１０５から、最も適したものあるいは価格的に合理的なものを選択し、その選択結果に応じた肥料注文１０６がパソコン２１の肥料注文手段２７から管理コンピュータ１１に送信される。ここで、生産農家２０は、肥料注文１０６として、配送を希望する日時や配送先の場所も指定できる。
【００９４】
ここで、提示された肥料価格情報１０５に生産農家２０が適当と考える選択肢が無い場合、再度、最適作柄の選択からやり直すこともできる。例えば、肥料価格情報１０５の肥料の価格が予想以上に高かったような場合、再度推薦作柄結果１０２から他の作柄を希望作柄として選択し直せばよい。この場合、再度提示される推薦作柄結果１０２の情報には生産農家２０の土壌成分の情報も含まれているので、生産農家２０の所有の農地に対して追加すべき肥料の価格が安くなる作柄を選択することができる。
【００９５】
管理コンピュータ１１の肥料供給管理部１７は、肥料注文１０６に応じて、堆肥提供者３０に堆肥配合指示１１５を、配合業者４０に堆肥配合指示１２１を、運送業者５０に肥料配送指示１２０をそれぞれ送信する。
【００９６】
そして、堆肥提供者３０は、堆肥配合指示１１５の内容に応じた種類および量の堆肥を配合業者４０または直接運送業者５０に渡す。堆肥提供者３０は、堆肥１３０を配合業者４０に渡すが、提供する堆肥を他の堆肥と配合することなくそのまま肥料として流通させることができる場合には、その堆肥１３１を直接運送業者５０に渡してもよい。
【００９７】
配合業者４０は、堆肥提供者３０から渡された堆肥１３０を、堆肥配合指示１２１に応じて他の堆肥と配合して肥料１３２とし、肥料１３２を運送業者５０に渡す。
【００９８】
運送業者５０は、肥料配送指示１２０に従い、配合業者４０から渡された肥料１３２または堆肥提供者３０から渡された堆肥１３１を肥料１３３として、指定された日時に指定された場所に配送する。
【００９９】
また、生産農家２０は、本実施の形態１の肥料情報提供システムによって、一旦要求した肥料の注文をキャンセルすることもできる。
【０１００】
このようにして、本実施の形態１の肥料情報提供システムの有する肥料配送システム９６の機能によって、肥料の商取引が行われる。
【０１０１】
さらに、管理コンピュータ１１の堆肥取引管理部１６によって、堆肥取引統計情報１１４がパソコン３１に送信され、図３に示す堆肥販売情報９５として堆肥提供者３０に堆肥取引の現状が提示される。今後の商取引の活性化のデータとしての活用を目的として、堆肥成分に応じた堆肥取引現状の統計表示もパソコン３１画面上に表示され、堆肥提供者３０に提示される。この堆肥取引統計情報１１４は、堆肥提供者３０が今後供給する堆肥の種類や提供方法等を検討する上での有用な情報となる。
【０１０２】
また、生産農家２０の施肥計画および堆肥配合処方の情報を、配合業者４０あるいは運送業者５０に伝達するようにしてもよい。
【０１０３】
また、本実施の形態１では、生産農家２０を本発明の農作物生産者の一例としたが、農業に従事する生産農家２０に限らず、パソコン２１を有する個人の園芸愛好家を本発明の農作物生産者の一例とし、本実施の形態１の肥料情報提供システムに含めてもよい。
【０１０４】
なお、本実施の形態１の肥料情報提供システムでは、推薦作柄結果１０２を生産農家２０に提示した後に、生産農家２０の土壌８０の成分を分析することとしたが、先に土壌成分を分析した後に、推薦作柄結果１０２を生産農家２０に提示するようにしてもよい。この場合、推薦作柄結果１０２として生産農家２０の土壌成分も考慮した作柄が提示されることになり、土壌成分を分析する前に提示される推薦作柄結果１０２とは異なる場合もある。本実施の形態１の肥料情報提供システムにおいても、土壌分析を行った後に、推薦作柄結果１０２から希望作柄を選択し直すことは可能である。
【０１０５】
（実施の形態２）
図４は、本発明の実施の形態２の肥料情報提供システムのブロック図である。
【０１０６】
本実施の形態２の肥料情報提供システムは、実施の形態１の肥料情報提供システムに、個人の園芸愛好家６０および栽培管理用品販売業者７０も含めたシステムである。図１に記載され、図４には記載されていない部分があるが、それらは図４での記載を省略しているものであり、本実施の形態２の肥料情報提供システムは、実施の形態１の肥料情報提供システムの構成を全て含んでいる。なお、図４では、図１と同じ構成の部分については、図１と同じ符号を用いて示している。また、園芸愛好家６０は、本発明の農作物生産者の一例である。
【０１０７】
個人の園芸愛好家６０は、図１に示す生産農家２０と同様の構成であり、パソコン６１は、インターネットを利用したコンピュータネットワークで管理コンピュータ１１に結ばれている。さらに、パソコン６１には、栽培管理用品注文手段６７を備えている。園芸愛好家情報入力手段６３、希望作柄選択手段６４、園芸愛好家表示手段６５は、それぞれ図１に示す、生産農家情報入力手段２３、希望作柄選択手段２４、生産農家表示手段２５と同様の機能を有している。また、簡易分析装置６２は、図１に示す簡易分析装置２２と同じ装置であり、土壌情報入力手段６６も土壌情報入力手段２６と同じ機能である。また、土壌分析情報２００、環境情報・技術情報２０１、推薦作柄結果２０２、希望作柄選択情報２０３、施肥計画・栽培計画２０４、土壌分析制御情報２０７は、それぞれ図１に示す、土壌分析情報１００、環境情報・技術情報１０１、推薦作柄結果１０２、希望作柄選択情報１０３、施肥計画・栽培計画１０４、土壌分析制御情報１０７と同様の情報である。なお、園芸愛好家情報入力手段６３は、本発明の農作物生産者情報入力手段の一例である。
【０１０８】
本実施の形態２の肥料情報提供システムは、実施の形態１の肥料情報提供システムに加えて、栽培管理用品販売業者７０の有するコンピュータも、調整管理者１０の有する管理コンピュータ１１と、インターネットを利用したコンピュータネットワークで結ばれている。
【０１０９】
次に、本実施の形態２の肥料情報提供システムにおける、栽培管理用品配送処理の動作について説明する。
【０１１０】
園芸愛好家６０は、図１に示す生産農家２０の場合と同様に、所有する園芸環境条件および農業技術レベルを入力できる。そして、入力された環境情報・技術情報２０１が、園芸愛好家情報入力手段６３によって管理コンピュータ１１に送信される。園芸愛好家６０は、農業技術レベルを入力することによって、農業技術に関する基礎的な部分についても管理コンピュータ１１から情報提供を受けることができる。
【０１１１】
管理コンピュータ１１の栽培計画管理部１４から施肥計画・栽培計画２０４が園芸愛好家６０に提示される。それと同時に、栽培管理用品管理部１９によって栽培管理用品情報２０８がパソコン６１に送信され、農業技術レベルに応じた栽培資材についての小口できめ細かい情報が提示される。
【０１１２】
ここで提示される栽培資材についての情報とは、苗、培土およびマルチ、散水用品や殺菌剤、殺虫剤などの栽培管理用品などを適切な時期にその適切な使用方法と共に提案するような情報であり、有機栽培に適した情報である。
【０１１３】
園芸愛好家６０は、提示された栽培管理用品情報２０８に基づいて、必要とする栽培管理用品を決め、その必要な栽培管理用品を注文する。パソコン６１の栽培管理用品注文手段６７によって、栽培管理用品注文２０９の情報が管理コンピュータ１１に送信される。
【０１１４】
管理コンピュータ１１の栽培管理用品管理部１９は、栽培管理用品注文２０９の内容に応じて、栽培管理用品配送指示２２０により栽培管理用品販売業者７０に、園芸愛好家６０に注文された栽培管理用品の配送を指示する。そして、栽培管理用品販売業者７０は、注文された栽培管理用品２３０を、指定された日時に指定された場所に配送する。
【０１１５】
なお、本実施の形態２の肥料情報提供システムにおける栽培管理用品の配送処理は、栽培管理用品販売業者７０が直接配送することとしたが、配送処理を他の運送業者に行なわせるようにしてもよい。この配送処理を、図１に示す堆肥を配送する運送業者５０に行わせることにより、注文された肥料１３３と共に栽培管理用品２３０を園芸愛好家６０に配送することができる。
【０１１６】
以上に説明したように、本発明の肥料情報提供システムは、農作物生産者の所有する農地の最適栽培作物を、農作物生産者の要望、農作物生産者の農業技術、農地の気象環境、市場作物価格から分析した結果を複数提示し、農作物生産者の選択結果に基づいた施肥計画、栽培計画を農作物生産者に提示することにより、農業経営収益性の向上を図るシステムである。
【０１１７】
本発明の肥料情報提供システムは、農作物生産者が有する労働力の範囲で、所有する農地を最大限有効利用できる最適栽培作物を選択できるようにし、栽培などに関する情報提供を受けられるようにすることで、農業経営の収益性向上の効果が見込まれるシステムである。
【０１１８】
また、堆肥は製造着手から提供までに、ある程度の期間が必要なものである。堆肥提供者においても、農作物生産者の肥料要求情報を入手できるので、年間を通じた安定した堆肥の供給計画が立てられるという効果もある。
【０１１９】
さらに、栽培経験・知識の乏しい個人園芸愛好家にとっても、肥料に関する情報提供を受けられるので、失敗の少ない園芸を楽しむことが出来る。その他、本発明の肥料情報提供システムを利用することで、栽培関連情報、栽培関連資材などの提供を適切な時期に享受でき、その効果は計り知れない。
【０１２０】
なお、本発明のプログラムは、上述した本発明の肥料情報提供システムの全部または一部の手段の機能をコンピュータにより実行させるためのプログラムであって、コンピュータと協働して動作するプログラムである。
【０１２１】
また、本発明の記録媒体は、上述した本発明の肥料情報提供システムの全部または一部の手段の全部または一部の機能をコンピュータにより実行させるためのプログラムを担持した記録媒体であり、コンピュータにより読み取り可能かつ、読み取られた前記プログラムが前記コンピュータと協働して利用される記録媒体である。
【０１２２】
また、本発明のプログラムの一利用形態は、コンピュータにより読み取り可能な記録媒体に記録され、コンピュータと協働して動作する態様であっても良い。
【０１２３】
また、記録媒体としては、ＲＯＭ等が含まれ、伝送媒体としては、インターネット等の伝送媒体、光・電波・音波等が含まれる。
【０１２４】
また、上述した本発明のコンピュータは、ＣＰＵ等の純然たるハードウェアに限らず、ファームウェアや、ＯＳ、更に周辺機器を含むものであっても良い。
【０１２５】
なお、以上説明した様に、本発明の構成は、ソフトウェア的に実現しても良いし、ハードウェア的に実現しても良い。
【産業上の利用可能性】
【０１２６】
本発明の肥料情報提供システムは、農業経営における高付加価値作物栽培としての収益性向上および堆肥提供事業の計画生産による事業安定性等として有用である。また、農業従事者団体組織の情報サービス、農業知識普及のための研修サービス、一般園芸愛好家のための情報提供サービス等としても適用が可能である。
【図面の簡単な説明】
【０１２７】
【図１】本発明の実施の形態１の肥料情報提供システムのブロック図
【図２】本発明の実施の形態１の肥料情報提供システムにおける、推薦作柄および施肥計画を提示する処理の流れを示す図
【図３】本発明の実施の形態１の肥料情報提供システムにおける、堆肥配合処方および流通の処理の流れを示す図
【図４】本発明の実施の形態２の肥料情報提供システムのブロック図
【符号の説明】
【０１２８】
１０  調整管理者
１１  管理コンピュータ
１２  作柄検索部
１３  土壌成分解析部
１４  栽培計画管理部
１５  堆肥成分解析部
１６  堆肥取引管理部
１７  肥料供給管理部
１８  データ蓄積部
１９  栽培管理用品管理部
２０  生産農家
２１、３１、６１  パソコン
２２、３２、６２  簡易分析装置
２３  生産農家情報入力手段
２４、６４  希望作柄選択手段
２５  生産農家表示手段
２６、６６  土壌情報入力手段
２７  肥料注文手段
３０  堆肥提供者
３３  堆肥提供者情報入力手段
３４  取引情報選択手段
３５  堆肥提供者表示手段
３６  堆肥情報入力手段
４０  配合業者
５０  運送業者
６０  園芸愛好家
６３  園芸愛好家情報入力手段
６５  園芸愛好家表示手段
６７  栽培管理用品注文手段
７０  栽培管理用品販売業者
【図１】
2005080514.tif 000006
【図２】
2005080514.tif 000007
【図３】
2005080514.tif 000008
【図４】
2005080514.tif 000009